(57)【要約】【課題】本発明は払い戻し機能を備えた投票券発券装置，投票カード及びプログラムに関し，以前のレースの投票券が的中した時にその後に行われる任意のレースの投票券を購入する際にその的中券の払い戻し金を全て用いて購入することができることを目的とする。【解決手段】以前のレースで的中した投票券を読取る的中券読取部とマーク式の投票カードを読取る投票カード読取部と，投票券発行部と，現金の入出力機構を備えた現金部と各部の制御を行う処理部とを備える。処理部は，的中券読取部により的中券の情報を識別し，的中券の読取情報を用いてセンタ装置に払戻し金額を問い合わせ，投票カード読取部による投票カードの読取情報により転がし投票であることを検出し，転がし投票を検出すると求めた払い戻し金額により購入可能な投票券の金額を確定し，確定した金額により投票券の読取情報で指定された投票券を前記投票券発行部に発行させるよう構成する。【選択図】図１
2005338890.tif 000002
【特許請求の範囲】
【請求項１】
以前のレースで的中した投票券を読取る的中券読取部と，マーク式の投票カードを読取る投票カード読取部と，投票券発行部と，現金の入出力機構を備えた現金部と，各部の制御を行う処理部とを備え，
前記処理部は，前記的中券読取部により的中券の情報を識別する手段と，前記的中券の読取情報を用いてセンタ装置に払い戻し金額を問い合わせる手段と，前記投票カード読取部による投票カードの読取情報により転がし投票であることを検出する手段と，転がし投票を検出すると前記問い合わせ手段により求めた払い戻し金額により購入可能な投票券の金額を確定する手段と，前記確定した金額により前記投票券の読取情報で指定された投票券を前記投票券発行部に発行させる手段とを備えることを特徴とする払い戻し機能を備えた投票券発券装置。
【請求項２】
請求項１において，
前記処理部の投票券の金額を確定する手段は，前記問い合わせ手段により求めた払い戻し金額が投票券の単位価格に満たない端数を含むか判定し，端数を含むと端数の現金を前記現金部から放出させる手段を備えることを特徴とする払い戻し機能を備えた投票券発券装置。
【請求項３】
請求項１の投票券発券装置で読取る投票カードであって，
前記投票カードの投票券に的中券の払い戻し金により現在より後に行うレースの投票券の購入を要求する転がし投票のマーク欄を設けたことを特徴とする投票カード。
【請求項４】
的中した投票券を読取る的中券読取部と，マーク式の投票カードを読取る投票カード読取部と，投票券発行部と，現金の入出力機構を備えた現金部と，を備えた払い戻し機能を備えた投票券発券装置の制御処理を行うコンピュータを，
前記的中券読取部により的中券の情報を識別する手段，
前記的中券の読取情報を用いてセンタ装置に払い戻し金額を問い合わせる手段，
前記投票カード読取部による投票カードの読取情報により転がし投票であることを検出する手段，
転がし投票を検出すると前記問い合わせ手段により求めた払い戻し金額により購入可能な投票券の金額を確定する手段，
前記確定した金額により前記投票券の読取情報で指定された投票券を前記投票券発行部に発行させる手段，
として機能させることを特徴とするプログラム。
【発明の詳細な説明】
【技術分野】
【０００１】
本発明は競馬等における転がし投票を可能とする投票券発券装置，投票カード及びプログラムに関する。
【背景技術】
【０００２】
競馬等の投票方法の一つとして，以前のレースで的中した金額を全てその後のレースで賭けるという投票の仕方があり，これは「ころがし投票」と呼ばれる。現在のトータリゼータシステムでは，この「ころがし投票」をするためには，予め前のレースで的中した配当（倍率）を確認し，自分の購入した金額と掛け算をして購入可能金額を算出した上で，マーク式の投票カードに購入金額を記入して，的中券とそのマーク式の投票カードで次のレースの投票券を購入しなければならないという不便さがあった。また，一旦，的中券を払い戻し機で現金にする必要があり，簡単に的中金額全額を次のレースに賭けることができなかった。
【０００３】
なお，マーク式の投票カードを使用する以前の投票券発券装置では，的中した投票券を投入すると読取手段により読取り，的中した投票データを検出して，払い戻し金額を算出し，その金額が現金の投入額と加算されて表示され，投票者はその表示を見て，キー入力により次の投票券の購入をする技術が知られている（特許文献１参照）。また，従来の予約投票システムとして，一つのレースにおける投票組番と購入金額と，そのレースの後に行われる指定した後発レースにおける投票組番とを含む予約投票券を発行し，前記の一つのレースにおける投票組番が的中したときに，その払い戻し金と購入金額とから算出される払い戻し金額を予約した前記後発レースにおける投票組番の購入金額として繰り入れるようにするというシステムが知られている（特許文献２参照）。
【特許文献１】特開昭５６−１６４４８８号公報
【特許文献２】特開平１１−９６２５３号公報
【発明の開示】
【発明が解決しようとする課題】
【０００４】
従来の，予め以前のレースで的中した配当（倍率）を確認し，自分の購入した金額と掛け算をして購入可能金額を算出した上で，マーク式の投票カードに購入金額を記入して，的中券とそのマーク式の投票カードで次のレースの投票券を購入する方法では，計算を行う等の手間がかかる点で不便であった。また，上記の特許文献１の技術は，投票券の購入がマークシートによらないで的中券を投入して払い戻し金額を求めて，投入した現金とを合計した金額を表示した上で，利用者がキー入力で購入金額を指定することで発券を行うための技術であり，一人一人の投票券の購入者によるキー操作に要する時間がかかり，的中券だけで新たな投票券の購入をするものではなく，購入のためのキー操作をするため，多くの人が列を作っている場合には待ち時間がかかるという問題があった。
【０００５】
また，特許文献２の技術は，一つのレースの投票券を購入する時点で，その的中券の払い戻しの金額で購入しようとする後発のレースの投票組番を予約しておく必要があり，前記一つのレースが終了した後，そのレースで的中券があった時に後発のレースが開始するまでに後発のレースの投票組番を自由に選択して，的中券の払い戻し金で投票券を購入することができない。
【０００６】
本発明は以前のレースについて的中した投票券を用い，その後の任意のレースの投票券を的中券の払い戻し金を用いてマーク式の投票カードにより購入することができる払い戻し機能を備えた投票券発券装置，投票カード及びプログラムを提供することを目的とする。
【課題を解決するための手段】
【０００７】
図１は本発明の原理構成を示す。図中，１は払い戻し機能を備えた投票券発券装置，１０は処理部，１０ａは的中券入力識別手段，１０ｂは入力された的中券により受け取ることができる払い戻し金額をセンタ装置に問い合わせる払い戻し問い合わせ手段，１０ｃは転がし投票検出手段，１０ｄは払い戻し金額による投票券を購入できる金額を確定する購入金額確定手段，１０ｅは発券指示手段，１０ｆは端数の現金放出手段である。２０は的中券読取部，２１は投票カード読取部，２２は投票券発行部，２３は現金部，３は各投票情報を集計し，レース終了後に払い戻し金額を算出する等の計算を行うセンタ装置である。
【０００８】
的中券の所有者が投票券発券装置１の的中券読取部２０に的中券を入力すると，的中券から読取った情報は処理部１０内の的中券入力識別手段１０ａで投票式別（単勝，複勝等），レース番号，投票番号（枠番），金額等を識別し，識別した情報は払い戻し問い合わせ手段１０ｂに供給され，払い戻し問い合わせ手段１０ｂは，それらの識別情報を持つ的中券に対する払い戻し金をセンタ装置３に問い合わせる。センタ装置３から払い戻し金額が返送されてくると，後述する購入金額確定手段１０ｄに通知される。一方，的中券を的中券読取部２０に入力した人が，的中券の払い戻し金額により，これから実行されるレースについて転がし投票をしたい場合，転がし投票券として式別（種類），レース番号及び投票番号（枠番等）を指定して転がし投票であることを表すマークを付した投票カード（具体例は後述する図５に示す）を予め作成して上記の的中券の入力と同時または的中券の入力の後に投票カード読取部２１に投入する。
【０００９】
投票カード読取部２１が転がし投票を表す投票券を読取ると，処理部１０の転がし投票検出手段１０ｃで転がし投票であること及び転がし投票により購入を希望するレース番号と投票番号（枠番等）を識別し，この転がし投票の情報が，払い戻し金額による購入金額確定手段１０ｄに供給される。購入金額確定手段１０ｄは，上記のセンタ装置３から回答してきた払い戻し金額により上記の転がし投票で希望した投票券が購入できる金額（投票券が購入可能な単位金額で区切る）を確定し，レース番号，金額，投票番号と共に発券指示手段１０ｅに出力し，端数の現金放出手段１０ｆは端数（＝払い戻し金額−投票券の購入額）を求めて現金部２３に端数（残金の放出を指示する。発券指示手段１０ｅは上記の転がし投票の投票券の発券するための情報を受け取ると，その情報を使って投票券発行部２２に対して投票券の発行を指示する。また，現金部２３は指示された端数を放出して転がし投票を行った利用者に返還する。
【発明の効果】
【００１０】
本発明により，的中券の払い戻し金額の確認及び投票時の投票カードの金額欄を記入することなく簡単に転がし投票をすることが可能となる。
【発明を実施するための最良の形態】
【００１１】
図２は本発明の払い戻し機能を持つ投票券発券装置のハードウェア構成を示し，図３は投票券発券装置の処理フロー，図４は的中券の構成例，図５はマーク式の投票カードの転がし投票券の構成例である。
【００１２】
図２において，１は払い戻し機能を備えた本発明による投票券発券装置，１０は図１の処理部に対応し，プログラムにより転がし投票の処理を行うＭＰＵ（Micro Processor Unit) ，１１はプログラムを格納したＲＯＭ（Read Only Memory) ，１２は各種のデータを記憶するＲＡＭ（Random Access Memory) ，２０は転がし投票や払い戻しのための的中券を読取る的中券読取部，２１は転がし投票による投票券や，通常の投票券を購入するためのマーク式の投票カードのカードを読取る投票カード読取部，２２は投票券を発行する投票券発行部，２３は投票券を現金を購入する場合の現金を入力したり，転がし投票の場合の釣銭を放出する現金部，２４は通信インタフェース部，２５はキー入力部，２６は表示部である。３０は利用者が的中券を用いて転がし投票により購入を希望する投票券をマークした投票カード，３１は転がし投票の元となる以前に終了したレースに対して購入して的中した投票券である的中券，３２は投票券発行部２２で発行された投票券である。
【００１３】
図３は投票券発券装置の処理フローであり，上記図２に示すＭＰＵ１０において関連する各部２０〜２４の読取入力や，発券動作と連携して動作する。
【００１４】
最初に，利用者が的中券３１を的中券読取部２０に投入することで，的中券の読取が行われる（図３のＳ１）。的中券は図４に例を示すような構成であり，３１ａは競馬場名，３１ｂはレース番号，３１ｃは式別（この例は連複），３１ｄは開催日を表す月，日，３１ｅは枠番（この例は「１−２」），３１ｆは購入金額，３１ｇは合計枚数（この例は１００枚），３１ｈは合計金額である。
【００１５】
的中券を読み取ることで，レース番号，式別，枠番，金額等の的中券の情報が得られ，これを通信インタフェース部２４からセンタ装置に送って払い戻し金額を問い合わせると，センタ装置から払い戻し金額が送り返されてきて，その金額はＲＡＭ（図２の１２）に記憶される。
【００１６】
次に投票カード読取部（図２の２１）により投票カードを読取り，転がし投票にマークがあるか判別する（図３のＳ２）。投票カードの例は図５に示され，３０ａ〜３０ｄの各マーク欄は転がし投票と通常の投票（転がし投票ではない投票）の両方の投票に使用され，３０ｅは通常の投票にだけ使用され，３０ｆは転がし投票にだけ使用される。
【００１７】
３０ａは投票式別マーク欄，３０ｂは場名（レース場名）マーク欄，３０ｃはレース番号マーク欄，３０ｄは枠番マーク欄，３０ｅは金額を指定する金額マーク欄が設けられている。３０ｆは本発明による転がし投票を指定するための転がし投票マーク欄で，転がし投票を行う場合にマークを記入する。なお，転がし投票を指定した場合，転がし投票券の３０ａ〜３０ｄの希望する欄にマークを記入するが，金額を指定する金額マーク欄３０ｅには何もマークを記入しない。金額は的中券による払い戻し金額により決まるからである。
【００１８】
図３のＳ２において，転がし投票にマークがあるか判別し，マークが記入されてない場合（この場合，投票券の金額を指定する金額マーク欄３０ｅにはマークが記入されている），通常投票の処理に移行し，マークが記入されていると，払い戻し金額を確認して，１００円未満の端数があるか判別する（図３のＳ３）。この場合，払い戻し金額は上記Ｓ１において的中券読取りによりセンタ装置に問い合わせることにより得られた金額を確認し，投票券を購入できる最小金額である１００円未満の端数が含まれているか判別するもので，含まれている場合は，投票券の購入金額を（払い戻し金額−１００円未満の端数）とし（図３のＳ４），１００未満の端数が含まれてない場合はその払い戻し金額をそのまま購入金額とする（同Ｓ５）。この後，上記Ｓ４またはＳ５で決まった購入金額で投票券を発券する（図３のＳ６）。この時，図２の投票券発行部２２に対し，投票カードで読取った転がし投票が要求された投票式別，場名，レース番号，枠番等により上記Ｓ４またはＳ５で確認した購入金額の投票券を発券させる。続いて，払い戻し金額に１００円未満の端数があるか判別し（図３のＳ７），１００円未満の端数がある場合は１００未満の端数を現金で払い戻しを行い（同Ｓ８），１００円未満の端数がない場合は終了する。１００円未満の端数の払い戻しは，図２の現金部２３に対して払い戻しの金額を指示することにより払い戻しが行われる。
【図面の簡単な説明】
【００１９】
【図１】本発明の原理構成を示す図である。
【図２】本発明の払い戻し機能を持つ投票券発券装置のハードウェア構成を示す図である。
【図３】投票券発券装置の処理フローを示す図である。
【図４】的中券の構成例を示す図である。
【図５】マーク式投票カードの転がし投票券の構成例を示す図である。
【符号の説明】
【００２０】
１        投票券発券装置
１０      処理部
１０ａ    的中券入力識別手段
１０ｂ    払い戻し問い合わせ手段
１０ｃ    転がし投票検出手段
１０ｄ    購入金額確定手段
１０ｅ    発券指示手段
１０ｆ    端数の現金放出手段
２０      的中券読取部
２１      投票カード読取部
２２      投票券発行部
２３      現金部
３        センタ装置
【図１】
2005338890.tif 000003
【図２】
2005338890.tif 000004
【図３】
2005338890.tif 000005
【図４】
2005338890.tif 000006
【図５】
2005338890.tif 000007